(57)【要約】【課題】器具本体の薄形化が行えると共に、器具効率の低下を抑制することができる埋込式の照明器具を提供する。【解決手段】環形蛍光ランプ１０と；蛍光ランプの中心軸またはその近傍に対向する対向面に形成された放熱孔２６、蛍光ランプに対向するように設けられる天板部４ｂ、この天板部に蛍光ランプを介して対向する照射開口を有する反射板４と；平板部および平板部を囲む複数の側板部の内部に反射板を配設する一方、この反射板の照射開口側で開口する開口部、対向する一対の側板部６ａ〜６ｄの近傍の平板部に形成された取付穴１５ａ，１５ｂ、反射板の天板部にてその外面に当接するように突出し、反射板を取り付ける取付部が設けられた突部を有する器具本体と；を具備している。【選択図】  図１
2006120426.tif 000002
【特許請求の範囲】
【請求項１】
蛍光ランプと；
蛍光ランプの中心軸またはその近傍に対向する対向面に形成された放熱孔、
蛍光ランプに対向するように設けられる天板部、この天板部に蛍光ランプを介して対向する照射開口を有する反射板と；
平板部および平板部を囲む複数の側板部の内部に反射板を配設する一方、この反射板の照射開口側で開口する開口部、対向する上記一対の側板部の近傍の平板部に形成された取付穴、上記反射板の天板部にてその外面に当接するように突出し、反射板を取り付ける取付部が設けられた突部を有する器具本体と；
を具備していることを特徴とする照明器具。
【請求項２】
器具本体は、反射板の放熱孔と対向しない平板部の箇所に外部に開口する放熱孔を具備していることを特徴とする請求項１または２記載の照明器具。
【発明の詳細な説明】
【技術分野】
【０００１】
本発明は天井埋込形の照明器具に関する。
【背景技術】
【０００２】
従来、この種の照明器具の一例としては、下面に照射開口を形成した有蓋角筒状の器具本体と、この器具本体内に配設され、器具本体の照射開口と同一方向に開口する照射開口を有する有蓋角筒状の反射体と、この反射体内に配設される蛍光ランプと、を具備した照明器具が知られている（例えば特許文献１参照）。
【特許文献１】特開平６−３１４５１０号公報
【発明の開示】
【発明が解決しようとする課題】
【０００３】
しかしながら、このような従来の照明器具では、器具本体の平板部の中央部に取付穴を形成し、この取付穴内に、天井壁等に埋設された吊りボルトの自由先端部を挿通し、この自由先端部に締結ナットを締め付けて器具本体を天井壁に取付固定している。
【０００４】
このために、器具本体の平板と反射板の天板部との間には、吊りボルトを挿通させ、締結ナットを締め付ける間隙（高さ）が必要であり、器具本体の厚さが厚いという課題がある。
【０００５】
その結果、天井の内側構造によっては、照明器具を配設し難く、場合によっては、この天井の内側構造自体を照明器具が配設し得る構造に改良する場合があり、多くの手間を要していた。
【０００６】
そこで、照明器具を薄形化することが考えられるが、そのために、反射板の天板部と器具本体の平板部との間隙を単に小さくしたとしても、従来の照明器具では、器具本体内に反射板を設け、かつこの反射板内にランプを設けているので、反射板内の熱がこもり易く、温度が上がり易い。
【０００７】
このように反射板内の温度が上昇することに伴い、反射板内の蛍光ランプの温度も上昇する。蛍光ランプの温度が上昇すると、発光効率が低下するので、器具効率が低下してしまう虞がある。
【０００８】
本発明は、このような事情を考慮してなされたもので、器具本体の薄形化が行えると共に、器具効率の低下を抑制することができる埋込式の照明器具を提供することにある。
【課題を解決するための手段】
【０００９】
請求項１に係る発明は、蛍光ランプと；蛍光ランプの中心軸またはその近傍に対向する対向面に形成された放熱孔、蛍光ランプに対向するように設けられる天板部、この天板部に蛍光ランプを介して対向する照射開口を有する反射板と；平板部および平板部を囲む複数の側板部の内部に反射板を配設する一方、この反射板の照射開口側で開口する開口部、対向する上記一対の側板部の近傍の平板部に形成された取付穴、上記反射板の天板部にてその外面に当接するように突出し、反射板を取り付ける取付部が設けられた突部を有する器具本体と；を具備していることを特徴とする照明器具である。
【００１０】
請求項２に係る発明は、器具本体は、反射板の放熱孔と対向しない平板部の箇所に外部に開口する放熱孔を具備していることを特徴とする請求項１または２記載の照明器具である。
【発明の効果】
【００１１】
請求項１に係る発明によれば、器具本体平板部の取付穴が反射板の側板部の外側に位置しているので、器具本体の平板部と反射板の天板部との間隔を減少させて照明器具としいての薄形化を図ることができる。
【００１２】
また、器具本体の平板部と反射板の天板部との間隙は、器具本体の平板部の突部が反射板の天板部に当接して確保しているので、この間隙で発生する自然対流により反射板内側からの放熱を促進させることができる。
【００１３】
しかも、この自然対流は反射板天板部の放熱孔により促進されると共に、反射板内から器具本体側へ流通する空気の流れが促進されるので、反射板内の温度上昇を抑制し、ひいては反射板内の蛍光ランプの温度上昇を抑制することができる。
【００１４】
これにより、照明器具の薄形化と器具効率の低下を抑制することができる。
【００１５】
請求項２に係る発明によれば、反射板の放熱孔の位置とは異なる位置にて、器具本体平板部に放熱孔を形成しているので、これら器具本体と反射板の両放熱孔を通して天井裏が目視できないうえに、これら両放熱孔により放熱作用を一層促進することができる。
【発明を実施するための最良の形態】
【００１６】
以下、本発明の一実施形態を図１〜図５に基づいて説明する。なお、これらの図中、同一または相当部分には同一符号を付している。
【００１７】
図１は本発明の一実施形態に係る照明器具の一部省略正面図、図２は図１で示す照明器具の縦断面図、図３はその器具本体の内面平面図、図４はランプソケットの斜視図、図５は環形蛍光ランプの一部切欠正面図である。これらの図において、照明器具１は、例えば天井壁２に形成された器具装着用開口内に配設される天井埋込形である。
【００１８】
照明器具１は、薄鉄板等の板金により有蓋角筒状に形成された器具本体３内に、内面を反射面に形成した有蓋偏平角筒状の板金製の反射板４と、この反射板４の図１中下面の照射開口端４ａ側に配設されるアクセサリーの一種であるルーバ５と、を配設している。
【００１９】
図３に示すように器具本体３は、例えば四角形の平板部６と、この平板部６の四辺からほぼ垂直に起立する４辺の側板部６ａ，６ｂ，６ｃ，６ｄと、をプレス加工等により一体に形成し、または溶接等により固着して一体的に形成している。これら側板部６ａ〜６ｄは、その各先端部に、その外方へほぼ９０°で屈曲する外向きフランジ７ａ，７ｂ，７ｃ，７ｄを折曲形成し、その内方を開口端７に形成している。
【００２０】
そして、照明器具１は、その平板部６の内面一側部に、ランプソケット８を配設し、このランプソケット８の近傍（図３では手前）の側板部６ｃ側の天板部６の内面偶部上に、
点灯装置９を、その背面が側板部６ｃの内面に添う状態で配設している。
【００２１】
図３に示すようにランプソケット８は、例えばＰＢＴ（ポリブチレンテレフタレート）やＰＥＴ（ポリエチレンテレフタレート）、ＰＣ（ポリカーボネート）等の合成樹脂製の矩形のベース８ａの中央部上に、同合成樹脂製の台座８ｂを一体に連成している。
【００２２】
台座８ｂは、その上面上にて矩形に配列された４本のピンソケット孔８ｃ，８ｃ，８ｃ，８ｃを穿設している。これらピンソケット孔８ｃ…は、その外周に導電性スリーブを埋設しており、これら導電性スリーブ内に、図４で示す環形蛍光ランプ１０の口金１１の４本の口金ピン１１ａ，１１ａ，１１ａ，１１ａが装入されて、電気的かつ機械的に着脱自在に接続される。
【００２３】
ベース８ａは、その上面上に、台座８ｂの両側にて、板ばねよりなる一対のＶ板ばね８ｄ，８ｄを立設している。これらＶ板ばね８ｄ，８ｄは、その先端部に、Ｖ字状に屈曲するＶ字状係止部８ｄａ，８ｄａを折曲形成している。
【００２４】
このように構成されたランプソケット８は、図３に示すように、各ピンソケット孔８ｃの導電性スリーブをリード線１２により点灯装置９の２次側端子９ａに接続している。
【００２５】
点灯装置９は、商用電源から電力を得て、これを所定周波数の高周波電力に変換してからランプソケット８を経て環形蛍光ランプ１０に口金１１を介して給電するものであり、調光機能を備えている。
【００２６】
そして、この点灯装置９の近傍の側板部６ｃに直交する図２中左右一対の側板部６ｄ，６ｂの内面には、その長手方向中間部において、左右一対のアクセサリー取付金具１３ａ，１３ｂを同一線上で対向させた状態で固着している。
【００２７】
これらアクセサリー取付金具１３ａ，１３ｂは、側板部６ｄ，６ｂの高さ方向、すなわち図１の紙面の表裏方向中間部または中間部よりもやや高い方向にて配設されている。
【００２８】
各アクセサリー取付金具１３ａ，１３ｂは、平板部６の中央部に向けて開口する開口端１３ａ１，１３ｂ１と、これら開口端１３ａ１，１３ｂ１を形成した欠円形状（Ｃ字状）の係止部１３ａ２，１３ｂ２と、を具備しており、図１で示すワイヤーＶばね１４ａ，１４ｂを係脱自在に係止させるようになっている。
【００２９】
ワイヤーＶばね１４ａ，１４ｂは、針金状のワイヤーばねをＶ字状に折曲してなり、このワイヤーＶばね１４ａ，１４ｂを、そのＶ字状開口端部を弾性的に縮小させた状態でアクセサリー取付金具１３ａ，１３ｂの係止部１３ａ２，１３ｂ２内へ、その開口端１３ａ１，１３ｂ１から挿入し、その後、このＶ字状開口端部を弾性的に復元させて拡大させ、このＶ字状開口端部の復元弾圧力により係止部１３ａ２，１３ｂ２に係止させることにより、係脱自在に係止させる。このワイヤーＶばね１４ａ，１４ｂのＶ字状先端部の取付リング内に、ルーバ５の取付用ダボ等の取付具を嵌脱自在に嵌入させることにより、ルーバ５を反射板４の下方の所定位置に装着することができる。
【００３０】
図２に示すように天板部６の内面上には、これら一対のアクセサリー取付金具１３ａ，１３ｂどうしを結ぶ直線上であって、左右一対の側板部６ｄ，６ｂ近傍にて、だるま形状の一対の取付穴１５ａ，１５ｂを穿設している。
【００３１】
これら取付穴１５ａ，１５ｂは、左右一対の吊りボルト１６ａ，１６ｂの自由先端部を挿通させるものであり、吊りボルト１６ａ，１６ｂの直径よりも若干大きい長穴１５ａ１，１５ｂ１の一端に、吊りボルト１６ａ，１６ｂの直径よりも十分に大きい、ほぼ円形の大穴１５ａ２，１５ｂ２を連通させて一体に形成している。
【００３２】
すなわち、左右一対の吊りボルト１６ａ，１６ｂの自由先端部を、一旦大穴１５ａ２，１５ｂ２内に挿通させ、その後、器具本体３を横方向に移動して長穴１５ａ１，１５ｂ１へ移動させてから、この挿通端部に図示しない締付けナットを締付けることにより、器具本体５を左右一対の吊りボルト１６ａ，１６ｂに取付け、固定するようになっている。図１に示すように、これら吊りボルト１６ａ，１６ｂの図中上端部は天井壁２に垂直に埋設されている。
【００３３】
そして、図２に示すように天板部６の内面上には、点灯装置９の１次側端子９ｂの近傍の図２中左側の側板部６ｄ側において、電源端子台１７と調光端子台１８とを配設している。
【００３４】
電源端子台１７と調光端子台１８は、一方（図２では左側）のアクセサリー取付金具１３ａの前後にて離間配置されている。調光端子台１８の端子に接続されたリード線１８ａは、平板部６内面と左側板部６ｄの内面とが交差する偶角部に沿って配線され、電源端子台１７の外側を通って点灯装置９の１次側端子９ｂの調光側端子９ｂ１に接続される。
【００３５】
電源端子台１７に接続されたリード線１９ａは調光端子台１８のリード線２０の内側を通って点灯装置９の１次側端子９ｂの電源側端子９ｂ２に接続される。この電源側端子９ｂ２は調光端子９ｂ１よりも側板部６ｃの高さ方向（図２では紙面の表裏方向）で下方に位置している。
【００３６】
そして、図１に示すように器具本体３の平板部６の内面には、図２で示す反射板４の天板部４ｂの各偶角部が位置する例えば４箇所において、内方へ突出する例えば円形のダボ１９，１９，１９，１９を突部として突設している。
【００３７】
各ダボ１９，１９，１９，１９は天板部４ｂの内面上に、所定高さ突出して、その中心部には、取付部として、図１で示す反射板取付ねじ２０，２０…と、この取付ねじ２０…にねじ結合するねじ穴１９ａ，１９ａ…をそれぞれ形成している。なお、図３中符号２１は作業用の手挿入穴である。これは器具本体５を天井壁２に取り付けたり、所要の配線を行なう等の作業を行なう際に使用する比較的大きな穴である。また、符号２２は環形蛍光ランプ１０にほぼ沿って形成される複数の放熱孔である。
【００３８】
図５は環形蛍光ランプ１０の一部切欠正面図である。この図５に示すように、環形蛍光ランプ１０は例えば多重環バルブ２３に口金１１を装着して構成されている。
【００３９】
多重環バルブ２３はガラス製の外側環形バルブ２３Ａの内側にて、これと相似形のガラス製の内側環形バルブ２３Ｂを同一平面上にて同心状に配置し、これら外側環形バルブ２３Ａと内側環形バルブ２３Ｂとを連結部２３Ｃにより一体的に連結することにより、単一の放電路を形成している。
【００４０】
これら外、内側環形バルブ２３Ａ，２３Ｂは、例えば１本の各直管状ガラスバルブの曲げ加工により、一平面上にて例えばほぼ正方形にそれぞれ形成されて相似形に形成されており、複数の直管部ｓ，…と、複数の屈曲部ｃ，…とを有する。これら外、内側環形バルブ２３Ａ，２３Ｂは、各々の軸方向両端部２３Ａ２，２３Ａ３，２３Ｂ２，２３Ｂ３を、所要の間隔を置いてほぼ同心状に対向配置している。これら外、内側環形バルブ２３Ａ，２３Ｂの両端部２３Ａ２，２３Ａ３，２３Ｂ２，２３Ｂ３との外面には、中空状の口金１０が、これら両端部２３Ａ２，２３Ａ３と、２３Ｂ２，２３Ｂ３とを跨るように外嵌されている。
【００４１】
外、内環形バルブ２３Ａ，２３Ｂは、ソーダイラムガラスや鉛ガラスなどの軟質ガラスで形成されるが、ほうケイ酸ガラスや石英ガラスなどの硬質ガラス製であってもよい。
【００４２】
外、内環形バルブ２３Ａ，２３Ｂのほぼ全内面には、蛍光体層２４が形成されている。蛍光体層２４を構成する蛍光体は、三波長発光形蛍光体、ハロ燐酸塩蛍光体など周知の蛍光体で構成可能であるが、発光効率の観点から三波長発光形蛍光体の使用が好ましい。
【００４３】
多重環バルブ２３は、外側環形バルブ２３Ａと内側環形バルブ２３Ｂの各一端部（図２では左端部）２３Ａ２，２３Ｂ２内に一対の電極（図示せず）をそれぞれ封着することにより、気密に封止している。多重環バルブ２３の内部には、水銀およびアルゴン（Ａｒ）等の放電媒体を封入している。
【００４４】
口金１１はＰＢＴやＰＥＴ、ＰＣ等の合成樹脂により形成されて、その外面に、矩形状の凹部１１ｂを形成し、この凹部１１ｂの内底部上に、例えば４本の口金ピン１１ａ…を立設している。これらの各口金ピン１１ａは図示しないリード線を介して一対の電極の各両端にそれぞれ電気的に接続されている。
【００４５】
そして、図１，２に示すように反射板４は、有蓋角筒状に形成され、器具本体３の平板部６に対向する矩形の天板部４ｂと、この天板部４ｂの四辺から各々起立する４辺の側板部４ｃと、を一体に連成している。各側板部４ｃは天板部４ｂから照射開口端４ａへ向けて漸次拡開するように所要角度傾斜して形成され、これら各側板部４ｃと平板部６の内面を反射面４ｄに形成している。
【００４６】
また、図５に示すように、この環形蛍光ランプ１０を着脱自在に保持する例えば３本の第１、第２、第３のランプホルダー２５ａ，２５ｂ，２５ｃを反射板４の天板部４ｂの反射面４ｄの内面上に所要の間隙を置いて立設している。これら第１〜第３ランプホルダー２５ａ〜２５ｃは環形蛍光ランプ１０を管径方向で弾性的に挟持する金属製板ばね等からなり、図中上面に、環形蛍光ランプ１０を出入させる出入口ｏを開口させている。この開口ｏは環形蛍光ランプ１０の外側環形バルブ２３Ａまたは内側環形バルブ２３Ｂの各直径よりも若干大きく形成される一方、これら外，内環形バルブ２３Ａ，２３Ｂ両者の直径を加算した直径よりも狭くされている。
【００４７】
第１のランプホルダー２５ａは環形蛍光ランプ１０の連結部２３Ｃ近傍に配設され、第２、第３のランプホルダー２５ｂ，２５ｃは口金１１とは反対側の直管部ｓ側に配設されている。
【００４８】
そして、図１に示すように反射板４の天板部４ｂ内面の反射面４ｄには、環形蛍光ランプ１０の中心軸またはその径方向近傍にて、その軸方向に所要の間隔を置いて複数の放熱孔２６，２６，…を穿設している。各放熱孔２６はその幅を、環形蛍光ランプ１０の管径（外，内環形バルブ２３Ａ，２３Ｂの各直径同士を加算した直径）よりも小さく形成しており、照射開口端４ａから環形蛍光ランプ１０を目視したときに、この環形蛍光ランプ１０により遮蔽されて放熱孔２６が目視されないように構成されている
したがって、この照明器具１によれば、器具本体３の平板部６に形成した取付穴１５ａ，１５ｂが反射板４の側板部４ｃの外側に位置しているので、器具本体３の平板部６と反射板４の天板部４ｂとの間隔を減少させて照明器具１としての薄形化を図ることができる。
【００４９】
また、器具本体３の平板部６と反射板４の天板部４ｂとの間隙ｇは、器具本体３の平板部６のダボ１９…が反射板４の天板部４ｂに当接して確保されているので、この間隙ｇで発生する自然対流により反射板内側からの放熱を促進させることができる。
【００５０】
しかも、この自然対流は反射板天板部４ｂの放熱孔２６により促進されると共に、反射板４ｂ内から器具本体３側へ流通する空気の流れが促進されるので、反射板４内の温度上昇を抑制し、ひいては反射板４内の環形蛍光ランプ１０の温度上昇を抑制することができる。
【００５１】
これにより、照明器具１の薄形化と器具効率の低下を抑制することができる。
【００５２】
また、この照明器具１によれば、反射板４の放熱孔２６の位置とは異なる位置にて、器具本体平板部６に放熱孔２２を形成しているので、これら器具本体３と反射板４の両放熱孔２２，２６を通して天井裏が目視できないうえに、これら両放熱孔２２，２６により放熱作用を一層促進することができる。
【００５３】
また、この照明器具１によれば、反射板天板部４ｂに、環形蛍光ランプ１０の中心軸またはその近傍にて複数の放熱孔２６…を穿設しているので、環形蛍光ランプ１０の発熱の一部をこれらの放熱孔２６…から放熱することができる。このために、環形蛍光ランプ１０の最冷部温度を低減することができるので、環形蛍光ランプ１０の光出力を向上させることができる。
【００５４】
しかも、この反射板４の放熱孔２６…は、反射板４の照明開口４ａの反対側の天板部４ｂに穿設され、かつ環形蛍光ランプ１０の中心側またはその近傍にて対向する対向面に形成されているので、反射板４の照射開口４ａからその内部を見た場合、放熱孔２６…が環形蛍光ランプ１０により遮蔽され、見え難くなっている。
【００５５】
さらに、器具本体天板部４ｂに形成した突部の複数のダボ１９…により反射板天板部４ｂとの間に間隙ｇが形成されるので、この間隙ｇで自然対流を発生させることができる。
【００５６】
しかも、この間隙ｇは反射板４の放熱孔２６…に連通しているので、この放熱孔２６…による放熱効果を自然対流によりさらに向上させることができる。
【００５７】
また、器具本体３の突部のダボ１９…は、反射板天板部４ｂの中央部よりも強度が高い四隅角部外面に当接するので、反射板天板部４ｂの変形等を抑制することができる。
【００５８】
さらに、この照明器具１によれば、器具本体３の強度の高い突部のダボ１９…に、反射板１４の取付部である取付ねじ２０とねじ穴１９ａ…を設けているので、この反射板４を器具本体３に取り付けることによる取付部の強度低下を抑制することができる。
【００５９】
また、器具本体３にも外部に開口する複数の放熱孔２２…を穿設しているので、この放熱孔２２…と、器具本体３および反射板天板部４ｂとの間隙ｇと、反射板天板部４ｂの放熱孔２６…とを介して、環形蛍光ランプ１０が収容される反射板４の内部を外部に連通させることができる。
【００６０】
これにより、環形蛍光ランプ１０を冷却することができるので、その最冷部温度を一層低減して光出力を増大させることがでる。
【００６１】
さらに、第１〜第３ランプホルダー２５ａ〜２５ｃにより、環形蛍光ランプ１０を反射板４の反射面４ｄから所定間隙離間させているので、この環形蛍光ランプ１０と反射面４ａとの間で反射を繰り返す反射光の一部を外部へ放射することができる。これにより環形蛍光ランプ１０の明るさの向上を図ることができる。
【００６２】
なお、上記実施形態では蛍光ランプとして多重環形蛍光ランプ１０を使用する場合について説明したが、本発明はこれに限定されるものではなく、環形バルブが１重の環形蛍光ランプを使用してもよく、さらに片口金のＵ字状蛍光ランプや直管形の蛍光ランプを使用してもよい。
【図面の簡単な説明】
【００６３】
【図１】本発明の一実施形態に係る照明器具の正面図。
【図２】図１で示す照明器具の縦断面図。
【図３】図１，２で示す器具本体の内面平面図。
【図４】図１，２で示すランプソケットの斜視図。
【図５】図１，２で示す環形蛍光ランプの平面図。
【符号の説明】
【００６４】
１…照明器具、２…天井壁、３…器具本体、４…反射板、４ａ…反射板の照射開口端、４ｂ…反射板の天板部、４ｃ…反射板の側板部、４ｄ…反射板の反射面、６…器具本体の平板部、６ａ〜６ｄ…器具本体の側板部、８…ランプソケット、９…点灯装置、１０…環形蛍光ランプ、１１…環形蛍光ランプの口金、１３ａ，１３ｂ…アクセサリー取付金具、１４ａ，１４ｂ…ワイヤーＶばね、１５ａ，１５ｂ…取付穴、１６ａ，１６ｂ…吊りボルト、１７…電源端子台、１８…調光端子台、１９…ダボ、２１…手挿入穴、２２…放熱孔、２５ａ〜２５ｃ…第１〜第３ランプホルダー、２６…放熱孔、ｇ…間隙。
【図１】
2006120426.tif 000003
【図２】
2006120426.tif 000004
【図３】
2006120426.tif 000005
【図４】
2006120426.tif 000006
【図５】
2006120426.tif 000007